(57)【要約】  【課題】  防虫効果に優れるとともに、容易に作製することができる網戸用の開閉小窓及びそれに用いる枠体を提供する  【解決手段】  網戸Ｂの網Ｃの所定範囲を、一対の外枠２で挟み込み、この外枠２の内方に網Ｃを挟み込んだ状態で一対の内枠３を配置する。内枠３の上部を除く外周を外枠２の内周に対して僅かな隙間Ｓを設けて沿わせるとともに、内枠３の上部を外枠２の上部に対して揺動可能に接続する。前記網Ｃの外枠２の内周に沿った所定部を切断して前記内枠３の揺動を許容する。【選択図】        図１
2005054407.tif 000002
【特許請求の範囲】
【請求項１】
網戸の網の所定範囲を一対の外枠で挟み込み、前記外枠の内方に網を挟み込んだ状態で一対の内枠を配置し、前記内枠の上部を外枠の上部に対して揺動可能に接続し、前記網の外枠の内周に沿った所定部に切れ目を入れて前記内枠の揺動を許容しているとともに、前記網の切れ目に沿って内枠の外周と外枠の内周とが僅かな隙間で近接していることを特徴とする網戸用の開閉小窓。
【請求項２】
前記内枠の上部を外枠の上部に対して外枠内方の網を介して揺動可能に接続している請求項１記載の網戸用の開閉小窓。
【請求項３】
請求項１記載の網戸用の開閉小窓に用いる枠体であって、
網戸の網の所定範囲を挟み込む一対の外枠と、
前記外枠の内方に配置されて網戸の網を挟み込むとともに、上部が前記外枠の上部に対して揺動可能に接続される一対の内枠とを備え、
前記内枠を外枠の内方に配置した状態で、前記内枠の左右両側部及び下部と外枠の内周とが、僅かな隙間で近接していることを特徴とする枠体。
【請求項４】
前記一対の外枠及び内枠のそれぞれが、網を挟んだ状態で互いに嵌合して一対の外枠どうし及び一対の内枠どうしを連結する連結部材を有する請求項１記載の枠体。
【発明の詳細な説明】
【技術分野】
【０００１】
この発明は、ペットが出入り可能な網戸用の開閉小窓及びそれに用いる枠体に関する。
【背景技術】
【０００２】
掃き出し窓や玄関等の出入り部を防虫用の網戸で覆うと、ペットが室内と屋外とを自由に行き来することができなくなる。このため、例えば特許文献１に示すように、網戸に開閉小窓を設ける技術が提案されている。
この特許文献１に示す開閉小窓は、網戸に窓枠を取り付け、この窓枠で囲まれる部分を開口し、その上縁から網からなる複数枚の短尺テープを暖簾状に吊り下げることによって、開口部を覆っているものである。
【特許文献１】特開２００２−２１８８５６号公報（図１）
【発明の開示】
【発明が解決しようとする課題】
【０００３】
ところが、前記従来の網戸用の開閉小窓は、その開口部を複数枚の短尺テープで覆っているものであるので、当該短尺テープの相互間に隙間が生じ易く、この隙間を通して蚊や蛾等の虫が侵入し易いという問題があった。また、前記短尺テープを作製したり、これを暖簾状に吊り下げたりする必要があるので、既存の網戸に開閉小窓を後付けする場合等に、その作業が煩雑で手間がかかるという問題があった。
この発明は前記問題点に鑑みてなされたものであり、防虫効果に優れるとともに、容易に作製することができる網戸用の開閉小窓及びそれに用いる枠体を提供することを目的とする。
【課題を解決するための手段】
【０００４】
前記目的を達成するためのこの発明の網戸用の開閉小窓は、網戸の網の所定範囲を一対の外枠で挟み込み、前記外枠の内方に網を挟み込んだ状態で一対の内枠を配置し、前記内枠の上部を外枠の上部に対して揺動可能に接続し、前記網の外枠の内周に沿った所定部に切れ目を入れて前記内枠の揺動を許容しているとともに、前記網の切れ目に沿って内枠の外周と外枠の内周とが僅かな隙間で近接していることを特徴としている。
このような構成の網戸用の開閉小窓によれば、内枠内方の網を内枠とともに揺動させることによって、その開口部を開閉することができる。また、前記網の切れ目に沿って内枠の外周と外枠の内周とが僅かな隙間で近接しているので、前記開口部を外枠の内方の網と内枠とによって良好に閉じることができる。しかも、外枠と内枠とで網を挟み込んで、網の外枠の内周に沿った所定部を切断するだけで開閉小窓を構成することができる。
【０００５】
前記開閉小窓は、内枠の上部を外枠の上部に対して前記網を介して揺動可能に接続しているのが好ましい。この場合には、外枠に対して内枠を揺動可能に接続するための部材が不要であるので、開閉小窓の構造がきわめて簡素となる。
【０００６】
また、この発明の枠体は、請求項１記載の網戸用の開閉小窓に用いる枠体であって、網戸の網の所定範囲を挟み込む一対の外枠と、前記外枠の内方に配置されて網戸の網を挟み込むとともに、上部が前記外枠の上部に対して揺動可能に接続される一対の内枠とを備え、前記内枠を外枠の内方に配置した状態で、前記内枠の左右両側部及び下部と外枠の内周とが、僅かな隙間で近接していることを特徴としている。
この枠体によれば、外枠と内枠とで網を挟み込んで、網の外枠の内周に沿った所定部を切断するだけで開閉小窓を構成することができる。このため、開閉小窓を簡単に構成することができる。また、前記内枠の少なくとも左右両側部及び下部と外枠の内周との間が、僅かな隙間であるので、小窓の開口部を良好に閉じることができる。
【０００７】
前記一対の外枠及び内枠のそれぞれは、網を挟んだ状態で互いに嵌合して一対の外枠どうし及び一対の内枠どうしを連結する連結部材を有するのが好ましい。この場合には、前記連結部材によって、一対の外枠どうし及び一対の内枠どうしを、網を挟んで簡単に連結することができる。このため、開閉小窓をきわめて簡単に作製することができる。
【発明の効果】
【０００８】
この発明によれば、防虫効果に優れるとともに、容易に作製することができる網戸用の開閉小窓及びそれに用いる枠体を提供することができる。
【発明を実施するための最良の形態】
【０００９】
以下、この発明の実施の形態について、添付図面を参照しながら詳述する。
図１はこの発明の一実施形態に係る網戸用の開閉小窓Ａを示す正面図であり、図２はその要部断面図である。
この開閉小窓Ａは、網戸Ｂの下側コーナ部に取り付けられた枠体１によって構成されている。前記枠体１は網Ｃの表裏両面に沿わせた一対の外枠２と、この一対の外枠２のそれぞれの内方に配置した内枠３とによって構成されている。前記一対の外枠２及び内枠３は、合成樹脂等からなる矩形のものであり、それぞれ網Ｃの所定範囲を挟んだ状態で当該網Ｃに取り付けられている。
【００１０】
前記内枠３の左右両辺部３１，３２及び下辺部３３のそれぞれの外周は、外枠２の左右両辺部２１，２２及び下辺部２３のそれぞれの内周に対して僅かな隙間Ｓでもって近接している。この隙間Ｓは金属薄板からなるカッターを挿入できる程度の大きさに設定されている。また、前記外枠２の内方の網Ｃは、外枠２の左右両辺部２１，２２及び下辺部２３のそれぞれの内周面に沿ってカッターにより切れ目Ｅが入れられているとともに、前記内枠３の上辺部３４は、外枠２の上辺部２４に対して網Ｃを介して接続されている。したがって、前記内枠３はその内方の網Ｃとともに外枠２の上辺部２４周りに揺動可能となっている。なお、内枠３の上辺部３４と外枠２の上辺部２４との間には、内枠３が揺動した際に互いに干渉しないように十分な間隔Ｄが設けられている。
【００１１】
前記一対の外枠２どうしは、一方の外枠２及び網Ｃを挿通させたビス４を、他方の外枠２にねじ込むことによって互いに連結されているとともに網Ｃを挟み込んだ状態で当該網Ｃに取り付けられている。また、前記一対の内枠３どうしについても、外枠２と同様に、ビス４を用いて互いに連結されているとともに網Ｃを挟み込んだ状態で当該網Ｃに取り付けられている。なお、前記外枠２内方に構成される開口部１ａは、犬や猫等のペットが出入り可能な大きさに設定されている。
【００１２】
以上の構成の開閉小窓Ａは、内枠３内方の網Ｃを内枠３とともに揺動させることによって、開口部１ａを開閉することができる。また、前記内枠３の外周うちの網Ｃの切れ目Ｅに沿った部分と、外枠２の内周のうちの網Ｃの切れ目Ｅに沿った部分との隙間Ｓが僅かであるので、開口部１ａを外枠３の内方の網Ｃと内枠３とによって良好に閉じることができる。このため、防虫効果に優れる開閉小窓Ａとなる。しかも、外枠２と内枠３とで網Ｃを挟み込み、外枠２の左右両辺部２１，２２及び下辺部２３のそれぞれの内周面に沿って網Ｃを切断するだけで開閉小窓Ａ作製することができる。さらに、内枠３の上辺部３４を外枠２の上辺部２４に対して、外枠２内方の網Ｃを利用して揺動可能に接続しているので、外枠２に対して内枠３を揺動可能に取り付けるための部材が不要である。このため、開閉小窓Ａの構造がきわめて簡素となる。
【００１３】
なお、前記実施の形態においては、一対の外枠２どうし及び内枠３どうしを、ビス４を用いて互いに連結しているが、これに限定されるものではない。例えば、図３に示すように、一対の外枠２及び内枠３のそれぞれの一方の枠に、網Ｃを挿通して他方の枠に至る突起２５，３５を設け、当該他方の枠に前記突起２５，３５と嵌合可能な凹部２６，３６を設け、これら連結部材としての突起２５，３５と凹部２６，３６とを互いに嵌合させることによって、一対の外枠２どうし及び内枠３どうしをそれぞれ連結するようにしてもよく、この場合には、一対の外枠２どうし及び内枠３どうしをより簡単に連結することができるので、開閉小窓Ａをきわめて簡単に作製することができる。
また、この発明にかかる開閉小窓Ａ及び枠体１の形状としては、多角形や丸形等、種々の形状で実施することができる。
【図面の簡単な説明】
【００１４】
【図１】この発明の一実施形態に係る開閉小窓を示す正面図である。
【図２】同じく要部拡断面図である。
【図３】他の実施形態を示す断面図である。
【符号の説明】
【００１５】
１      枠体
２      外枠
３      内枠
２５    突起
２６    凹部
３５    突起
３６    凹部
Ｂ      網戸
Ｃ      網
Ｅ      切れ目
Ｓ      隙間
【図１】
2005054407.tif 000003
【図２】
2005054407.tif 000004
【図３】
2005054407.tif 000005